(57)【要約】【課題】ワイヤハーネスを固定した結束バンドの余り代を切断することなくワイヤハーネス導出部内に収容できる電気接続箱を提供する。【解決手段】電気接続箱１は、樋状のワイヤハーネス導出部２が設けられたフレーム３と、該フレーム３に取り付けられるカバー４と、バンド部５１及び係止部５２から成りワイヤハーネス６をワイヤハーネス導出部２に固定する結束バンド５と、を備えている。ワイヤハーネス導出部２には、バンド部５１が通される切り欠き部２１及び貫通孔２２が設けられている。カバー４には、切り欠き部２１を通されてワイヤハーネス導出部２外に出たバンド部５１の余り代５１ａをワイヤハーネス導出部２側に押さえる押さえ部４１が設けられている。バンド部５１の余り代５１ａは、切断されることなく残されて、切り欠き部２１及び貫通孔２２に通される。【選択図】図２
2014171318.tif 000002
【特許請求の範囲】
【請求項１】
樋状のワイヤハーネス導出部が設けられたフレームと、該フレームに取り付けられるカバーと、バンド部及び当該バンド部の所望の位置に係止する係止部から成る結束バンドと、を備えた電気接続箱において、
前記ワイヤハーネス導出部に、前記バンド部が通される切り欠き部及び貫通孔が設けられ、
前記バンド部は、前記切り欠き部及び前記貫通孔を通されて前記ワイヤハーネス導出部内のワイヤハーネスに巻き付けられかつ前記係止部に係止された状態で、前記係止部から引き出された余り代を前記切り欠き部及び前記貫通孔に通すことが可能な長さに形成されており、
前記カバーに、前記切り欠き部を通されて前記ワイヤハーネス導出部外に出た前記バンド部の余り代を前記ワイヤハーネス導出部側に押さえる押さえ部が設けられており、
前記バンド部の余り代が切断されることなく残されて、該余り代が前記切り欠き部及び前記貫通孔に通される
ことを特徴とする電気接続箱。
【発明の詳細な説明】
【技術分野】
【０００１】
本発明は、自動車に搭載される電気接続箱に関するものである。
【背景技術】
【０００２】
自動車に搭載される電気接続箱は様々な構造のものがあるが、例えば、図４に示す電気接続箱のように、フレームにワイヤハーネス導出部が設けられた構造のものがある（特許文献１を参照。）。また、図４は、従来の電気接続箱のワイヤハーネス導出部の断面図である。
【０００３】
図４に示す電気接続箱３０１は、樋状のワイヤハーネス導出部２が設けられたフレーム３と、フレーム３内に収容される各種部品と、フレーム３に取り付けられるカバー３０４と、ワイヤハーネス６をワイヤハーネス導出部２に固定する結束バンド５と、を備えている。なお、図４においては、カバー３０４がフレーム３に取り付けられる前の状態を示している。
【０００４】
上記ワイヤハーネス導出部２の内側には、ワイヤハーネス６が通される。ワイヤハーネス６は、フレーム３内の各種部品に電気接続された複数の電線が束ねられたものである。なお、６ａは複数の電線の集合体であり、６ｂ，６ｃは１本の電線である。また、ワイヤハーネス導出部２には、結束バンド５のバンド部５１が通される切り欠き部２１及び貫通孔２２が設けられている。
【０００５】
上記結束バンド５は、バンド部５１と、バンド部５１の一端に設けられ、バンド部５１の所望の位置に係止する係止部５２と、で構成されている。バンド部５１は、切り欠き部２１及び貫通孔２２を通されてワイヤハーネス導出部２内のワイヤハーネス６に巻き付けられ、係止部５２に通されることにより該係止部５２に係止される。また、係止部５２から引き出されたバンド部５１の余り代５１ａは、バンドガン等で切断される。
【先行技術文献】
【特許文献】
【０００６】
【特許文献１】特開２０１０−１３６４６８号公報
【発明の概要】
【発明が解決しようとする課題】
【０００７】
上述した従来の電気接続箱においては、バンド部５１の余り代５１ａを切断する際に、ワイヤハーネス６の細い電線６ｂ，６ｃを同時に切断してしまう可能性があるという問題があった。そこで、本願の発明者は、余り代５１ａを切断せずに、再度切り欠き部２１及び貫通孔２２に通して（２周目）該余り代５１ａをワイヤハーネス導出部２内に収容することを考え、それを試したが、バンド部５１の弾力によって余り代５１ａがワイヤハーネス導出部２外に外れてしまうという問題があった。
【０００８】
したがって、本発明は、ワイヤハーネスを固定した結束バンドの余り代を切断することなくワイヤハーネス導出部内に収容できる電気接続箱を提供することを目的とする。
【課題を解決するための手段】
【０００９】
上記目的を達成するために請求項１に記載された発明は、樋状のワイヤハーネス導出部が設けられたフレームと、該フレームに取り付けられるカバーと、バンド部及び当該バンド部の所望の位置に係止する係止部から成る結束バンドと、を備えた電気接続箱において、前記ワイヤハーネス導出部に、前記バンド部が通される切り欠き部及び貫通孔が設けられ、前記バンド部は、前記切り欠き部及び前記貫通孔を通されて前記ワイヤハーネス導出部内のワイヤハーネスに巻き付けられかつ前記係止部に係止された状態で、前記係止部から引き出された余り代を前記切り欠き部及び前記貫通孔に通すことが可能な長さに形成されており、前記カバーに、前記切り欠き部を通されて前記ワイヤハーネス導出部外に出た前記バンド部の余り代を前記ワイヤハーネス導出部側に押さえる押さえ部が設けられており、前記バンド部の余り代が切断されることなく残されて、該余り代が前記切り欠き部及び前記貫通孔に通されることを特徴とする電気接続箱である。
【発明の効果】
【００１０】
請求項１に記載された発明によれば、バンド部の余り代が切断されることなく残されて、該余り代が切り欠き部及び貫通孔に通され、かつ、切り欠き部を通されてワイヤハーネス導出部外に出たバンド部の余り代が、押さえ部によってワイヤハーネス導出部側に押さえられるので、バンド部の弾力によって余り代がワイヤハーネス導出部外に外れることを防止できる。よって、ワイヤハーネスを固定した結束バンドの余り代を切断することなくワイヤハーネス導出部内に収容できる電気接続箱を提供することができる。
【図面の簡単な説明】
【００１１】
【図１】本発明の一実施形態にかかる電気接続箱の斜視図である。
【図２】図１中のＡ−Ａ線に沿った断面図である。
【図３】図１に示されたフレームのみの斜視図である。
【図４】従来の電気接続箱のワイヤハーネス導出部の断面図である。
【発明を実施するための形態】
【００１２】
本発明の一実施形態にかかる「電気接続箱」を図１〜３を参照して説明する。
【００１３】
図１，２に示す電気接続箱１は、自動車に搭載されるものであり、樋状のワイヤハーネス導出部２が設けられたフレーム３と、フレーム３内に収容される各種部品（リレー、ヒューズ、バスバ等）と、フレーム３に取り付けられるカバー４と、ワイヤハーネス６をワイヤハーネス導出部２に固定する結束バンド５と、を備えている。
【００１４】
上記フレーム３は、合成樹脂で構成されており、外形が箱状に形成され、内側に上記各種部品が取り付けられる本体部３０と、本体部の外面から樋状に延設された上記ワイヤハーネス導出部２と、を一体に有している。
【００１５】
上記ワイヤハーネス導出部２は、樋状、すなわち断面Ｕ字状に形成されており、本体部３０内に連通している。ワイヤハーネス導出部２は、その一端部かつ本体部３０との境界部に位置する第１開口部２０ａと、その他端部かつ本体部３０から離れた側に位置する第２開口部２０ｂと、その一端部から他端部にわたって開口した第３開口部２０ｃと、を有している。このようなワイヤハーネス導出部２の内側には、ワイヤハーネス６が通される。ワイヤハーネス６は、本体部３０内の各種部品に電気接続された複数の電線が束ねられたものである。なお、６ａは複数の電線の集合体であり、６ｂ，６ｃは１本の電線である。
【００１６】
また、図３に示すように、ワイヤハーネス導出部２には、結束バンド５のバンド部５１が通される切り欠き部２１及び貫通孔２２が設けられている。切り欠き部２１は、ワイヤハーネス導出部２の第３開口部２０ｃを構成する縁部を切り欠いている。
【００１７】
上記結束バンド５は、周知のものであり、バンド部５１と、バンド部５１の一端に設けられ、バンド部５１の所望の位置に係止する係止部５２と、で構成されている。バンド部５１は、切り欠き部２１及び貫通孔２２を通されてワイヤハーネス導出部２内のワイヤハーネス６に巻き付けられ、係止部５２に通されることにより該係止部５２に係止される。また、本発明では、係止部５２から引き出されたバンド部５１の余り代５１ａが、切断されることなく残され、再び切り欠き部２１及び貫通孔２２に通されてワイヤハーネス導出部２内に収容される。このため、本発明のバンド部５１は、係止部５２から引き出された余り代５１ａを切り欠き部２１及び貫通孔２２に通すことが可能な長さに形成されている。
【００１８】
上記カバー４は、合成樹脂で構成されており、本体部３０の一面を覆う第１カバー部４０と、第３開口部２０ｃを覆う第２カバー部４２と、押さえ部４１と、を一体に有している。押さえ部４１は、図１，２に示すように、切り欠き部２１を覆うと共に切り欠き部２１を通されてワイヤハーネス導出部２外に出たバンド部５１の余り代５１ａを記ワイヤハーネス導出部２側に押さえる。
【００１９】
このような電気接続箱１は、ワイヤハーネス６を固定した結束バンド５の余り代５１ａが、切断されることなく残されてワイヤハーネス導出部２内に収容されるので、ワイヤハーネス６の細い電線６ｂ，６ｃを誤って切断してしまうことがない。また、切り欠き部２１を通されてワイヤハーネス導出部２外に出たバンド部５１の余り代５１ａが、押さえ部４１によってワイヤハーネス導出部２側に押さえられるので、バンド部５１の弾力によって余り代５１ａがワイヤハーネス導出部２外に外れることを防止できる。
【００２０】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２１】
１  電気接続箱
２  ワイヤハーネス導出部
３  フレーム
４  カバー
５  結束バンド
６  ワイヤハーネス
２１  切り欠き部
２２  貫通孔
４１  押さえ部
５１  バンド部
５２  係止部
【図１】
2014171318.tif 000003
【図２】
2014171318.tif 000004
【図３】
2014171318.tif 000005
【図４】
2014171318.tif 000006